(57)【特許請求の範囲】
【請求項１】
作業の実施計画を入力および編集可能な工程編集部と、前記工程編集部によって入力あるいは編集した作業に対してその資源情報あるいは備考情報を属性として入力および編集可能な工程属性編集部と、前記工程編集部と前記工程属性編集部で入力あるいは編集したデータに基づき時間軸に沿って工程を図形的に表示する工程表示部と、前記工程属性編集部によって入力あるいは編集した資源情報を工程の時間軸と同一時間軸上にグラフ表示するグラフ表示部と、を有する定期点検工程管理手段と、
対象とするシステムまたは機器の運用または動作上の好ましくない事象を頂上事象とし、要因をそれ以上求めることができない事象を基本事象として、頂上事象から基本事象へ階層的に事象と要因の関係として展開して論理記号で結合したフォールトツリー構造を入力または編集可能なフォールトツリー編集部と、前記フォールトツリー編集部で作成したフォールトツリーデータをブール代数による論理式に変換するフォールトツリー−ロジック変換部と、基本事象に確率密度関数を入力または編集し、かつ機器名称もしくは機器番号と機器状態もしくは故障モードのセットを入力または編集するための基本事象確率編集部と、前記基本事象確率編集部において入力された確率密度関数に基づきモンテカルロ手法によって値を発生させる基本事象確率分布発生部と、前記フォールトツリー−ロジック変換部で導き出されたブール代数に前記基本事象確率分布発生部で発生させた値を入力して頂上事象の発生確率を計算する頂上事象発生確率計算部と、この頂上事象発生確率計算部で求められた頂上事象の発生確率に個々の基本事象がどの程度影響を与えるかを解析する手段を有す重要度分析実施部と、を有す信頼性評価支援手段と、
前記基本事象確率編集部と前記工程属性編集部のデータを比較する属性照合部と、前記属性照合部で比較した基本事象確率編集部で入力された機器名称もしくは機器番号と機器状態もしくは故障モードのセットと、工程編集部および工程属性編集部で入力された機器名称と機器状態のセットの照合データにおいて互いに符合する事象が互いに整合する発生確率となるように確率データまたは基本事象名を変換する属性・確率変換部と、前記頂上事象発生確率計算部で求められた頂上事象の発生確率と閾値を比較し、頂上事象の発生確率が閾値以上となる工程あるいは事象を抽出し、前記工程表示部で当該工程をリスク表示とする閾値−確率比較部と、前記重要度分析実施部で求めた頂上事象の発生確率に個々の基本事象がどの程度寄与しているかの計算結果を高い順に並べ、寄与度が閾値以上である場合に前記工程表示部で当該工程をリスク表示とする重要度分析比較部と、を有す付帯手段と、
を有することを特徴とするリスクモニターを有する工程管理システム。
【請求項２】
前記工程属性編集部において人的過誤確率を算出可能な属性を与え、人的過誤確率を抽出しその値を前記属性・確率変換部で変換することを特徴とする請求項１記載のリスクモニターを有する工程管理システム。
【請求項３】
前記基本事象確率分布発生部はモンテカルロ手法に代えて対数正規分布の中央値で値を発生し、前記頂上事象発生確率計算部は前記対数正規分布の中央値から近似的に頂上事象の中央値を算出するモードを有することを特徴とする請求項１または２に記載のリスクモニターを有する工程管理システム。
【請求項４】
前記工程編集部と前記工程表示部は、工程の入力または編集と工程の表示とを同時に行うことのできるインターフェースを有することを特徴とする請求項１〜３のいずれかに記載のリスクモニターを有する工程管理システム。
【請求項５】
前記工程編集部は、前記フォールトツリー編集部で入力された事象名を参照して工程バーの名称とすることを特徴とする請求項１〜４のいずれかに記載のリスクモニターを有する工程管理システム。
【発明の詳細な説明】
【０００１】
【発明の属する技術分野】
本発明は、プラントの保守作業のスケジュール管理を支援する複数の情報処理装置からなる定期点検工程管理手段およびその工程管理方法に係わり、特に、実際に行われる保守作業と、フォルトツリー構造によってリスク分析された事象とを対応づけ、時間軸にそって図形的に表示された工程上にリスクを警告するための表示（リスク表示）を行うことにより、プラントの定期点検等で実行される補修、点検等を含む保守作業とをより安全に実施することを支援する「リスクモニターを有する工程管理システムおよびリスク表示機能を有する工程管理方法」に関する。
【０００２】
なお、本発明は、原子力発電プラントの定期点検作業のための支援システムに限られるものではないが、理解容易のために以下の説明では原子力発電プラントの定期点検作業を念頭に説明する。
【０００３】
【従来の技術】
原子力発電プラントでは、安全な発電をするために定期的に保守作業を行っている。この保守作業は、機器の検査、補修、劣化部品の取換え等、多方面かつ膨大な保守作業項目（一保守作業項目は、一つの保守目的のため行われる互いに密接に関連する一連の保守作業をいう）の保守作業を行う。また、通常はこれらの保守作業は、プラントを停止させている一定期間内にすべて完了させる必要があるために、複数の保守作業が錯綜して行われる。さらに、各保守作業は、一定の順序で行われる必要があり、すなわち、一つの保守作業の前に他の保守作業が完了している必要があり、かつ、作業を開始する前は、安全確保等のために一定の準備が完了していなければならない。
【０００４】
上記事情の下で、原子力発電プラント等のプラントの保守作業を行うには、予め保守作業計画を立て、定期検査期間中は実際に行われている保守作業の進捗状態を記録管理し、一つ一つの保守作業が安全かつ滞りなく行われるように工程管理をしなければならない。このため、従来から計算機を使用した工程管理を目的とする「定期点検工程管理手段」が存在していた。
【０００５】
図７に従来の定期点検工程管理手段の構成を示す。図７に示すように、定期点検工程管理手段３０は、工程編集部３１と、工程属性編集部３２と工程表示部３３とグラフ表示部３４を有している。
【０００６】
工程編集部３１は、定期点検工程管理手段で保守作業の実施期間を入力する中心的な編集手段であり、マウス等のポインティングデバイスを用いて図的に工程を作成する形式のものと、数値（記号）情報を用いて工程を作成するものとがある。
【０００７】
工程属性編集部３２は、保守作業の作業名称、作業担当企業名称、電力の監督部署名称、または実績・計画投入人工数等の備考情報や資源情報等の工程の属性情報を編集する手段である。
【０００８】
工程表示部３３は、工程編集部３１や工程属性編集部３２で編集・入力された情報をそのまま、もしくは加工して表示する手段である。
【０００９】
グラフ表示部３４は、工程属性編集部３２で編集・入力された資源情報を工程全体もしくはその部分において時間単位ごとに加算等の演算をおこなってグラフ形式で表示する手段である。
【００１０】
一方、原子力発電プラントでは、プラントの安全性を確保することを目的に、トラブルの事象を想定し、それに至る確率を計算して、該当のトラブルの発生確率がほとんど起こり得ないことを定量的に解析する。その時に利用される主な解析手法が、ＦＴＡ（Fault Tree Analysis）と呼ばれるもので、信頼性工学および関連分野において活用されている。
【００１１】
手法自体は、以下の通りである。まず想定する頂上事象を選定する。その後、その頂上事象に至る一次要因を探り、その一次要因同士の論理的関係（and、or）を導く。図的にはツリー構造に表現し、頂上事象を記載した下に論理記号を記入する。その下に一次要因を記載する。同様のステップを個々の一次要因を基準に二次、三次要因へと繰り返し、実験等から確率分布を参照できるレベルまで細分化を行う。
【００１２】
頂上事象は、ブール代数を用いることにより、ツリー構造の最下層の事象（基本事象）の組み合わせで発生することが示される。そこまで整理されれば、後は、モンテカルロ手法というシミュレーション手法を用いてトップ事象の発生確率を導き出すことが可能となる。
【００１３】
本手法は、計算機上で処理するのに適しており、販売の有無は別として、よく利用されている。以下に代表的な構造を示す。
【００１４】
図８に従来の信頼性評価支援手段の構成を示す。図８に示すように、信頼性評価支援システム４０は、フォールトツリー編集部４１と、フォールトツリー−ロジック変換部４２と、頂上事象発生確率計算部４３と、基本事象確率編集部４４と、基本事象確率分布発生部４５と、重要度分析実施部４６とを有している。
【００１５】
フォールトツリー編集部４１では、単なる信頼性構造の図的表現にとどまらず、ツリーの論理構造自体が意味を持つため、解析が容易なようにほとんどの場合、階層的なデータとなっている。
【００１６】
フォールトツリー−ロジック変換部４２では、フォールトツリーのツリーの論理構造をブール代数の考えで変換する。
【００１７】
基本事象確率編集部４４では、ツリーの最下層の基本事象に確率密度関数を入力・編集するための手段で、通常確率密度関数は対数正規分布が利用されるため、通常、その中央値とエラーファクターで分布を指定する。
【００１８】
基本事象確率分布発生部４５では、基本事象確率編集部４４で指定された分布にしたがって確率を発生させる。
【００１９】
頂上事象発生確率計算部４３では、フォールトツリー−ロジック変換部４２で生成された論理式に、基本事象確率分布発生部４５で発生させた確率を当てはめて頂上事象の値を算出し、頂上事象の発生の確率密度関数を推定する。
【００２０】
重要度分析実施部４６は、基本事象の発生確率密度関数の中央値と頂上事象の発生確率密度関数の中央値を基準にして、基本事象の値を変動させ、それによって頂上事象の値がどれだけ変動するかにより、基本事象の影響を判断するという手法を用いて、影響の強い基本事象を特定するというものである。
【００２１】
【発明が解決しようとする課題】
しかしながら、従来の技術では定期点検工程管理手段と信頼性評価支援手段とが別個に存在し、信頼性を評価しつつ複雑な工程を管理することには不便であった。
【００２２】
つまり、定期点検の工程管理は時間と密接に関係し、工期や作業順序など時間および作業内容に関する深い知識が要求されるのに対し、信頼性評価は時間の概念をもたないが事象と要因の確率的関係に関する深い知識が要求される。
【００２３】
定期点検工程管理手段も信頼性評価支援手段もそれなりの経験を有する専門家がデータを作成するが、工程管理の専門家であっても信頼性工学の専門家とは限らず、逆に信頼性工学の専門家であっても工程管理の専門家とは限らない、という問題があった。
【００２４】
従来は工程管理手段と信頼性評価支援手段のデータベースがリンクされず、ユーザーは工程管理と信頼性評価を別個に行うことになり、現実の作業の信頼性を評価しながら工程管理することが困難であった。
【００２５】
そこで、本発明が解決しようとする課題は、工程管理手段と信頼性評価支援手段のデータベースをリンクさせ、信頼性評価と工程管理を一元的に行うことができる「リスクモニターを有する工程管理システムとリスク表示機能を有する工程管理方法」を提供することにある。
【００２６】
【課題を解決するための手段】
本発明の「リスクモニターを有する工程管理システム」は、
作業の実施計画を入力および編集可能な工程編集部と、前記工程編集部によって入力あるいは編集した作業に対してその資源情報あるいは備考情報を属性として入力および編集可能な工程属性編集部と、前記工程編集部と前記工程属性編集部で入力あるいは編集したデータに基づき時間軸に沿って工程を図形的に表示する工程表示部と、前記工程属性編集部によって入力あるいは編集した資源情報を工程の時間軸と同一時間軸上にグラフ表示するグラフ表示部と、を有する定期点検工程管理手段と、
対象とするシステムまたは機器の運用または動作上の好ましくない事象を頂上事象とし、要因をそれ以上求めることができない事象を基本事象として、頂上事象から基本事象へ階層的に事象と要因の関係として展開して論理記号で結合したフォールトツリー構造を入力または編集可能なフォールトツリー編集部と、前記フォールトツリー編集部で作成したフォールトツリーデータをブール代数による論理式に変換するフォールトツリー−ロジック変換部と、基本事象に確率密度関数を入力または編集し、かつ機器名称もしくは機器番号と機器状態もしくは故障モードのセットを入力または編集するための基本事象確率編集部と、前記基本事象確率編集部において入力された確率密度関数に基づきモンテカルロ手法によって値を発生させる基本事象確率分布発生部と、前記フォールトツリー−ロジック変換部で導き出されたブール代数に前記基本事象確率分布発生部で発生させた値を入力して頂上事象の発生確率を計算する頂上事象発生確率計算部と、この頂上事象発生確率計算部で求められた頂上事象の発生確率に個々の基本事象がどの程度影響を与えるかを解析する手段を有す重要度分析実施部と、を有す信頼性評価支援手段と、
前記基本事象確率編集部と前記工程属性編集部のデータを比較する属性照合部と、前記属性照合部で比較した基本事象確率編集部で入力された機器名称もしくは機器番号と機器状態もしくは故障モードのセットと、工程編集部および工程属性編集部で入力された機器名称と機器状態のセットの照合データにおいて互いに符合する事象が互いに整合する発生確率となるように確率データまたは基本事象名を変換する属性・確率変換部と、前記頂上事象発生確率計算部で求められた頂上事象の発生確率と閾値を比較し、頂上事象の発生確率が閾値以上となる工程あるいは事象を抽出し、前記工程表示部で当該工程をリスク表示とする閾値−確率比較部と、前記重要度分析実施部で求めた頂上事象の発生確率に個々の基本事象がどの程度寄与しているかの計算結果を高い順に並べ、寄与度が閾値以上である場合に前記工程表示部で当該工程をリスク表示とする重要度分析比較部と、を有す付帯手段と、
を有することを特徴とするものである。
【００２８】
本発明によれば、工程属性編集部または工程属性編集の処理において作業名−機器名というデータを入力し、基本事象確率編集部または基本事象確率編集の処理において確率データ−基本事象名−機器名というデータを入力する。
【００２９】
属性照合部または属性照合の処理では、機器名をキーデータとして工程管理手段のデータベースと信頼性評価支援手段のデータベース間で照合する。
【００３０】
その照合の結果、基本事象名と作業名が同一事象の場合、もしくは背反概念の場合、両データベースの該当部分をリンクする。
【００３１】
上記データベース間のリンクにより、入力・編集された工程が基本事象の発生確率に反映され、基本事象の発生確率が頂上事象の発生確率に反映され、頂上事象の発生確率が所定の閾値を超過する場合には当該工程に対してリスク表示される。
【００３２】
【発明の実施の形態】
以下に、本発明の実施の形態について願書に添付した図面を用いて説明する。
【００３３】
図１に本発明の一実施形態による「リスクモニターを有する工程管理システム」の構成を示す。
【００３４】
図１に示すように、本実施形態のリスクモニターを有する工程管理システム１は、定期点検工程管理手段２と、信頼性評価支援手段３と、付帯手段４とを有している。
【００３５】
定期点検工程管理手段２は、発電所で行われる工程計画や作業の実績を入力、編集、表示、保存するシステムである。信頼性評価支援手段３は、FTA（Fault Tree Analysis）を利用して、フォールトツリーを図的に記入し、シミュレーションを行って頂上事象の発生確率を算出するシステムである。付帯手段４は、両システムのデータベースの連携およびデータの変換をするシステムである。
【００３６】
なお、ここで「手段」、「システム」はコンピューター処理装置、その入出力手段、記憶手段を総称し、物理的に一つのコンピューターである場合の他に、分散したコンピューターがデータ通信によって接続されている場合を含む。
【００３７】
上記定期点検工程管理手段２と、信頼性評価支援手段３と、付帯手段４の内部の構成について以下にさらに説明する。
【００３８】
定期点検工程管理手段２は、工程編集部５と、工程属性編集部６と、工程表示部７と、グラフ表示部８とを有している。「部」は「手段」下位の構成要素であり、個別の装置あるいはソフトウェアのモジュールによって制御されたコンピューターを意味する。
【００３９】
工程編集部５は、作業の実施計画を時系列にしたがって入力あるいは編集および双方を実行することができるように構成されている。
【００４０】
工程属性編集部６は、工程編集部５によって入力あるいは編集された個々の工程・作業に資源情報や備考情報を属性として入力・編集することができるように構成されている。
【００４１】
なお、工程属性編集部６は人的過誤確率を算出可能な属性を入力あるいは編集および双方を実行することができる。人的過誤の属性は、機器の故障とは別に人的過誤によって障害が発生する可能性がある場合に、その工程にその情報を入力するようにする。人的過誤の属性を有する工程は障害の発生確率に反映される。
【００４２】
工程表示部７は、工程編集部５と工程属性編集部６で入力あるいは編集したデータに基づいて工程を図形的に時系列にしたがって表示することができるように構成されている。
【００４３】
グラフ表示部８は、工程属性編集部６によって入力あるいは編集した数値データに基づいて時系列にしたがって表示された工程と同期（同一時間軸上にで時間的に一致）させて、個々の工程に入力された属性として資源情報（数値データ）を計算し、同時間軸上にグラフに表示することができるように構成されている。
【００４４】
なお、工程編集部５と工程表示部７は、工程の入力・編集と工程の表示とが同時に行われるインターフェースを備えることが好ましい。このインターフェースを有するシステムによれば、工程の入力・編集と表示とが同時に行われるので、工程の入力・編集の作業がより簡単になる。
【００４５】
信頼性評価支援手段３は、フォールトツリー編集部９と、フォールトツリー−ロジック変換部１０と、基本事象確率編集部１１と、基本事象確率分布発生部１２と、頂上事象発生確率計算部１３と重要度分析実施部１４とを有している。
【００４６】
フォールトツリー編集部９は、対象とするシステムまたは機器の運用または動作上の好ましくない事象を頂上事象とし、要因をそれ以上求めることができない事象を基本事象として、頂上事象から基本事象へ階層的に事象と要因の関係として展開して論理記号で結合したフォールトツリー構造を図的に入力または編集および双方を実行することができるように構成されている。
【００４７】
フォールトツリー−ロジック変換部１０は、フォールトツリー編集部９で入力または編集して作成したフォールトツリーデータをブール代数による論理式に変換することができるように構成されている。
【００４８】
基本事象確率編集部１１は、基本事象に確率密度関数を入力または編集および双方を実行するための手段であって、個々の基本事象に対し対数正規分布の中央値とエラーファクターを与えることができるように構成されている。
【００４９】
基本事象確率分布発生部１２は、基本事象確率編集部１１によって入力、編集された個々の基本事象に対して設定された対数正規分布の中央値とエラーファクターに基づきランダムに確率を発生させることができるように構成されている。
【００５０】
頂上事象発生確率計算部１３は、フォールトツリー−ロジック変換部１０で導き出されたブール代数に基本事象確率分布発生部１２で発生させた基本事象の発生確率を代入し、頂上事象の発生確率密度関数の計算を行い頂上事象の発生確率を求めることができるように構成されている。
【００５１】
なお、基本事象確率分布発生部１２は、好ましくはモンテカルロ手法によってランダムに基本事象の発生確率を発生させるが、モンテカルロ法に代えて基本事象の発生確率分布の対数正規分布の中央値で発生確率を発生させ、頂上事象発生確率計算部１３により前記基本事象の中央値から近似的に頂上事象の発生確率の中央値を算出するモードを備えることができる。このモードは、計算が簡便になる利点を有する。
【００５２】
重要度分析実施部１４は、頂上事象発生確率計算部１３で求められた頂上事象の発生確率に個々の基本事象がどの程度影響を与えるかを解析する手段を有し、基本事象の故障率を変動させることで頂上事象の発生率の寄与度を計算することができるように構成されている。
【００５３】
付帯手段４は、属性照合部１５と、属性・確率変換部１６と、閾値−確率比較部１７と、重要度解析比較部１８とを有している。
【００５４】
属性照合部１５は、工程編集部５または工程属性編集部６にて入力、編集された工程が意味する事象（作業）と基本事象確率編集部１１において入力されたＦＴＡの基本事象とを照合し、同一事象もしくは背反事象であるかどうかを比較判定することができるように構成されている。
【００５５】
属性・確率変換部１６は、属性照合部１５で工程が意味する事象（作業）とＦＴＡの基本事象が同一事象もしくは背反事象（この両者は、全く関係のない事象と区別してまとめて「符号する事象」ということにする）と比較判定された場合に、互いに符合する事象が互いに整合する発生確率となるようにデータ（確率データまたは基本事象名）を変換することができるように構成されている。
【００５６】
具体的には、同一機器において定期点検工程管理手段の作業名が「全開」であるならばその時点での「全開」の確率は１．０である。そして、信頼性評価支援手段の基本事象名が全開であるならば、それらはリンクでき、基本事象の発生確率も１．０と考えることができる。反対に、信頼性評価支援システムの基本事象名が「全開ではない」であるならば、両者の関係は背反であると考えることができ、基本事象名を反転（排反事象名に変換）させて確率をそのままとするか、基本事象名をそのままとして基本事象の発生確率を１．０−１．０＝０．０とするかのどちらかを選択することができる。
【００５７】
なお、人的過誤発生の属性を有する事象については、属性照合部１５によって抽出され、属性・確率変換部１６によって発生確率データの変換に反映される。
【００５８】
閾値−確率比較部１７は、頂上事象発生確率計算部１３で求められた頂上事象の発生確率が指定した閾値以上である場合に、その情報を工程表示部に伝達し、工程表示部の表示に反映させることができるように構成されている。すなわち、発生確率が閾値以上となる工程（事象）には注意を促す表示（「リスク表示」ということにする）をさせる。
【００５９】
なお、リスク表示をする工程表示部を有することにより、本発明を「リスクモニターを有する工程管理システム」という。
【００６０】
重要度解析比較部１８は、重要度分析実施部１４で求められた結果を基本事象の重要度順に並べ、ある条件で閾値を決めて、その閾値以上である場合にその情報を工程表示部に伝達することができるように構成されている。
【００６１】
なお、上述した工程編集部５は好ましくは、フォールトツリー編集部９で入力された事象名を参照し、工程バーの名称とすることができるようにする。「フォールトツリー編集部９で入力された事象名を参照し、工程バーの名称とする」とは、一例として機器名等をキーとして工程編集部５で入力・編集している工程に対応する事象を検索し、工程バーの名称の候補として工程編集部５の画面上に表示し、入力者に選択させることが考えられる。さらに、工程の名称と基本事象の名称が統一されることにより、属性・確率変換部１６での計算機負荷を減らすことができる。
【００６２】
次に、通常時の動作を説明する。
【００６３】
例えば、図２に示す工程を工程編集部５で図的に入力したとする。「図的に入力」とはたとえばコンピューター画面上で線Ａ（「バー」または「工程バー」）を引くようにすることである。入力されたデータは、図３のように作業名称と開始日時と終了日時のデータの形にすることができる。そして、個々のデータ（「バー」または「工程バー」）に対して、工程属性編集部６により備考情報や資源情報などの属性を追加入力すると、入力されたデータは図４のように格納される。なお、資源情報には投入人工や使用クレーン等の情報を入力でき、資源情報に「レベル-1.0」と記載した場合は、個々のバーと同じ期間において該当の資源を一様に１．0使用することを意味する。
【００６４】
次に、入力されたデータに基づき工程表示部７において工程を表示する。表示は図２と全く同じ表示である場合もあるが、機器番号や会社名といった備考情報を工程のバーに付帯させて表示させることも可能である。入力画面と同じ期間を表示したいとは限らないので、一般的なＯＳの機能と同様に拡大・縮小を可能とする。表示期間移動はスクロールバーを用いて可能とする。
【００６５】
グラフ表示部８は、工程表示部７の画面の上もしくは下に配置させ、時間軸の表示期間、スケールは工程のものと全く同一とする。グラフの表示形式は、資源ごと（投入人工、使用クレーン別）に表示することも、合計して表示することも可能とする。
【００６６】
フォールトツリー編集部９では、図５のようにフォールトツリーを編集可能なように、四角や論理記号の部品をモジュールとして準備しておき、ドラッグして引用可能なようにＧＵＩを作成する。図５のように入力されたフォールトツリーのデータは、図６のような構造で保存される。
【００６７】
フォールトツリー−ロジック変換部１０では、図６のデータの場合、以下のようなブール代数となる。
【００６８】
Ａ＝Ｄ×Ｅ+Ｆ×Ｇ
基本事象確率編集部１１では、基本事象に対しそれぞれ中央値とエラーファクターを与えることにより対数正規分布を一意に定義する。基本事象のなかで同一の事象（Ａ＝Ｂ）、背反の事象（１＝Ａ＋Ｂ）を名称もしくは備考情報から判断し、中央値とエラーファクターは個々の故障モード、人的過誤のモードごとに与えるものとする。
【００６９】
基本事象確率分布発生部１２では、基本事象確率編集部１１で定義された対数正規分布に従いモンテカルロ手法によりランダムに確率を発生させる。その値を、
（基本事象Ｄの確率１、基本事象Ｅの確率１、基本事象Ｆの確率１、基本事象Ｇの確率１）
（基本事象Ｄの確率２、基本事象Ｅの確率２、基本事象Ｆの確率２、基本事象Ｇの確率２）
：                  ：                  ：                  ：（基本事象Ｄの確率ｎ、基本事象Ｅの確率ｎ、基本事象Ｆの確率ｎ、基本事象Ｇの確率ｎ）
というセットで保持する。
【００７０】
頂上事象発生確率計算部１３では、基本事象確率分布発生部１２で保持されたセットごとに、フォールトツリー−ロジック変換部１０で作成されたブール代数へ代入し計算を行う。その計算結果の集合を再度対数正規分布に当てはめ、中央値とエラーファクターを求める。
【００７１】
重要度分析実施部１４では、基本事象の中央値のセット
（基本事象Ｄの中央値、基本事象Ｅの中央値、基本事象Ｆの中央値、基本事象Ｇの中央値）
と
（基本事象Ｄの中央値−１エラーファクター、基本事象Ｅの中央値、基本事象Ｆの中央値、基本事象Ｇの中央値）
（基本事象Ｄの中央値、基本事象Ｅの中央値−１エラーファクター、基本事象Ｆの中央値、基本事象Ｇの中央値）
（基本事象Ｄの中央値、基本事象Ｅの中央値、基本事象Ｆの中央値−１エラーファクター、基本事象Ｇの中央値）
（基本事象Ｄの中央値、基本事象Ｅの中央値、基本事象Ｆの中央値、基本事象Ｇの中央値−１エラーファクター）
を比較し、
（基本事象Ｄの中央値、基本事象Ｅの中央値、基本事象Ｆの中央値、基本事象Ｇの中央値）との差が大きいものから記録する。
【００７２】
属性照合部１５では、基本事象確率編集部１１で入力された機器名称（もしくは機器番号）と機器状態（もしくは故障モード）のセット
（機器名称、機器状態）
と、工程編集部５および工程属性編集部６で入力された機器名称と機器状態のセット
（機器名称、機器状態）
を照合し、同一機器において機器状態が同一もしくは背反事象のものを抽出する。
【００７３】
属性・確率変換部１６では、上記の定期点検工程管理手段２側のセット（機器名称、機器状態）と信頼性評価支援手段３側のセット（機器名称、機器状態）の整合性をとるために変換を行う。例えば、定期点検工程管理手段２側のセットが（機器Ａ、停止）で、信頼性評価支援システム３側のセットが（機器Ａ、停止）であれば変換の必要はない。定期点検工程管理システム２側の事象は確率１．０でその事象が発生するという意味なので、信頼性評価支援手段３側の基本事象確率編集部１１へ対数正規分布ではなく、定数１．０を当てはめる。
【００７４】
しかし、信頼性評価支援手段３側のセットが（機器Ａ、運転）の場合には、そのままでは排反事象であり都合が悪いため変換を行う。信頼性評価支援手段３側と定期点検工程管理手段２側のどちらかの事象を排反事象に変換すればよいが、ここでは信頼性評価支援手段３側を変換する。具体的な操作としては、定期点検工程管理手段２側の事象は確率１．０でその事象が発生するという意味なので、信頼性評価支援手段３側の基本事象確率編集部１１へ対数正規分布ではなく、定数０．０を当てはめるのみである。
【００７５】
閾値−確率比較部１７では、頂上事象発生確率計算部１３で計算された中央値と閾値を比較し中央値が閾値よりも大きければ警告として工程表示部７の該当するバーを警報色に変換する。
【００７６】
また、重要度解析比較部１８では、閾値−確率比較部１７で中央値が閾値よりも大きい場合には、重要度分析実施部１４で記録されている（基本事象Ｄの中央値、基本事象Ｅの中央値、基本事象Ｆの中央値、基本事象Ｇの中央値）との差が大きいものを定期点検工程管理手段２と照合し、該当するバーが見つかれば工程表示部７の該当するバーを警報色に変換する。
【００７７】
上記したリスクモニターを有する工程管理システムによれば，定期点検工程管理手段２と信頼性評価支援手段３とを連携するために熟練した技術者や解析者を必要とせず、技術者の負担を軽減し、定期点検工程管理手段２と信頼性評価支援手段３のデータを定期点検中に変更したとしても素早く再計算を行えるため、結果として工程を変更して安全を維持すると共に、現場へ注意を喚起することができる。
【００７８】
【発明の効果】
このように本発明の「リスクモニターを有する工程管理システムとリスク表示機能を有する工程管理方法」によれば、入力者が定期点検工程管理手段によって工程（作業）やその関連情報を入力すると、信頼性評価支援手段によってリスクが相対的に高い工程が自動的に表示され、入力者に工程の組替えを促したり、作業者に注意を促したりすることができる。
【００７９】
さらに、本発明の「リスクモニターを有する工程管理システムとリスク表示機能を有する工程管理方法」によれば、人的過誤の管理を支援することができ、計算された頂上事象の確率の精度を上げることができる。
【００８０】
また、基本事象の発生確率分布の中央値から頂上事象の中央値を近似的に求めるモードを有する本発明の「リスクモニターを有する工程管理システムとリスク表示機能を有する工程管理方法」によれば、短時間で計算を行うことができ、繰り返し工程を調整する工程の計画段階では検討時間の短縮を図ることができる。
【００８１】
また、工程編集部と工程表示部の同時編集・表示のインターフェースを有する本発明の「リスクモニターを有する工程管理システムとリスク表示機能を有する工程管理方法」によれば、工程編集部と工程表示部の画面を切り替えることなく検討を行えるため、工程管理の検討時間の短縮を図ることができる。
【００８２】
また、工程編集時にフォールトツリー編集部の事象名を参照できる本発明の「リスクモニターを有する工程管理システムとリスク表示機能を有する工程管理方法」によれば、属性・確率変換部での計算機負荷を減らすことができ、処理時間の短縮を行うことができる。
【図面の簡単な説明】
【図１】本発明の一実施形態による「リスクモニターを有する工程管理システム」のシステム構成図。
【図２】工程編集部の画面の一具体例を示した図。
【図３】工程編集部のデータの一具体例を示した図。
【図４】工程属性編集部６のデータの一具体例を示した図。
【図５】フォールトツリー編集部の画面の一具体例を示した図。
【図６】図５のフォールトツリー構造のデータを示した図。
【図７】従来の定期点検工程管理手段の構成を示した図。
【図８】従来の信頼性評価支援手段の構成を示した図。
【符号の説明】
１  リスクモニターを有する工程管理システム
２  定期点検工程管理手段
３  信頼性評価支援手段
４  付帯手段
５  工程編集部
６  工程属性編集部
７  工程表示部
８  グラフ表示部
９  フォールトツリー編集部
１０  フォールトツリー−ロジック変換部
１１  基本事象確率編集部
１２  基本事象確率分布発生部
１３  頂上事象発生確率計算部
１４  重要度分析実施部
１５  属性照合部
１６  属性・確率変換部
１７  閾値−確率比較部
１８  重要度解析比較部
【図１】
0004326731.tif 000002
【図２】
0004326731.tif 000003
【図３】
0004326731.tif 000004
【図４】
0004326731.tif 000005
【図５】
0004326731.tif 000006
【図６】
0004326731.tif 000007
【図７】
0004326731.tif 000008
【図８】
0004326731.tif 000009